(57)【要約】【課題】発光部の発光により点灯する標識の個数や取付順番によらず、各種各様な発光パターン及び発光タイミングでの発光制御を簡単に実現すること。【解決手段】制御ボックス２は、ＬＥＤ導光式矢印板１−１乃至１−Ｎの発光パターンと発光タイミングを示す制御信号を生成し、最前段のＬＥＤ導光式矢印板１−１に対して有線で送信する。ＬＥＤ導光式矢印板１−１乃至１−Ｎの夫々は、前段のマスター装置２又は前段のスレーブ装置から制御信号を受信すると、当該制御信号から、発光パターンと発光タイミングを認識し、その認識結果に基づいてＬＥＤの発光の制御を実行する。ＬＥＤ導光式矢印板１−１乃至１−Ｎの夫々はまた、後段のスレーブ装置に対して、受信された制御信号を送信する。【選択図】図１
2017025488.tif 000002
【特許請求の範囲】
【請求項１】
マスター装置と、発光部の発光により点灯する標識を夫々含む複数のスレーブ装置とからなる標識点灯システムにおいて、
前記マスター装置と前記複数のスレーブ装置は、前記マスター装置を先頭に所定の順番で有線により接続されており、
前記マスター装置は、
前記発光部の発光パターンと発光タイミングを示す制御信号を生成する制御部と、
前記制御信号を、最前段の前記スレーブ装置に対して前記有線で送信する送信部と
を備え、
前記スレーブ装置は、
前段の前記マスター装置又は前段の前記スレーブ装置から、前記制御信号を受信する受信部と、
前記受信部に受信された前記制御信号から、前記発光パターンと前記発光タイミングを認識し、その認識結果に基づいて前記発光部の発光の制御を実行する発光制御部と、
後段の前記スレーブ装置に対して、前記受信部に受信された前記制御信号を送信する送信部と、
を備える標識点灯システム。
【請求項２】
前記発光部の発光方式は、ＬＥＤ光源と導光板による面発光の発光方式である、
請求項１に記載の標識点灯システム。
【請求項３】
複数の前記発光パターン毎に、一意の数値幅が割り当てられており、
所定の発光パターンにおける所定の発光タイミングは、当該所定の発光パターンに割り当てられた数値幅の範囲内で、一意の数値が割り当てられており、
前記所定の発光パターンにおける前記所定の発光タイミングを示す前記制御信号は、当該所定の発光タイミングに割り当てられた前記数値を示す信号である、
請求項１又は２に記載の標識点灯システム。
【請求項４】
前記マスター装置と前記複数のスレーブ装置の夫々に対して、前記有線で電力を供給する電力供給をさらに備える、
請求項１乃至３のうち何れか１項に記載の標識点灯システム。
【請求項５】
マスター装置と、発光部の発光により点灯する標識を夫々含む複数のスレーブ装置とからなる標識点灯システムの標識点灯方法であって、
前記マスター装置と前記複数のスレーブ装置は、前記マスター装置を先頭に所定の順番で有線により接続されており、
マスター装置は、
前記発光部の発光パターンと発光タイミングを示す制御信号を生成する制御ステップと、
前記制御信号を、最前段の前記スレーブ装置に対して前記有線で送信する送信ステップと
を含む制御処理を実行し、
前記スレーブ装置は、
前段の前記マスター装置又は前段の前記スレーブ装置から、前記制御信号を受信する受信ステップと、
受信された前記制御信号から、前記発光パターンと前記発光タイミングを認識し、その認識結果に基づいて前記発光部の発光の制御を実行する発光制御ステップと、
後段の前記スレーブ装置に対して、受信された前記制御信号を送信する送信ステップと、
を含む制御処理を実行する標識点灯方法。
【発明の詳細な説明】
【技術分野】
【０００１】
本発明は、標識点灯システム及び方法に関する。
【背景技術】
【０００２】
従来より、道路において走行車を誘導するための標識として、誘導方向を示す矢印が表示された看板（以下、「矢印板」と呼ぶ）が広く用いられている。
矢印板の中には、夜間でも走行車の乗員に矢印を認識させるべく、矢印の形状に沿って複数のＬＥＤを埋め込んで、当該ＬＥＤを点灯させるものも存在する（特許文献１、２参照）。
【先行技術文献】
【特許文献】
【０００３】
【特許文献１】特開平１０−２９２３２５号公報
【特許文献２】特開２００３−１６０９１７号公報
【発明の概要】
【発明が解決しようとする課題】
【０００４】
しかしながら、走行車を誘導する距離や方向はまちまちであるため、任意の個数の矢印板を任意の順番で配置させて、各種各様な発光パターン及び発光タイミングで発光させたいという要望が近年挙げられている。
特許文献１及び２ではこのような要望に応えることは困難である。
また、このような要望は、矢印板に特に限定されず、発光部の発光により点灯する標識一般に対して広く求められている。
【０００５】
本発明は、このような状況に鑑みてなされたものであり、発光部の発光により点灯する標識の個数や取付順番によらず、各種各様な発光パターン及び発光タイミングでの発光制御を簡単に実現することを目的とする。
【課題を解決するための手段】
【０００６】
本発明の一態様の標識点灯システムは、
マスター装置と、発光部の発光により点灯する標識を夫々含む複数のスレーブ装置とからなる標識点灯システムにおいて、
前記マスター装置と前記複数のスレーブ装置は、前記マスター装置を先頭に所定の順番で有線により接続されており、
マスター装置は、
前記発光部の発光パターンと発光タイミングを示す制御信号を生成する制御部と、
前記制御信号を、最前段の前記スレーブ装置に対して前記有線で送信する送信部と
を備え、
前記スレーブ装置は、
前段の前記マスター装置又は前段の前記スレーブ装置から、前記制御信号を受信する受信部と、
前記受信部に受信された前記制御信号から、前記発光パターンと前記発光タイミングを認識し、その認識結果に基づいて前記発光部の発光の制御を実行する発光制御部と、
後段の前記スレーブ装置に対して、前記受信部に受信された前記制御信号を送信する送信部と、
を備える。
【０００７】
前記発光部の発光方式は、ＬＥＤ光源と導光板による面発光の発光方式である、
ようにすることができる。
【０００８】
複数の前記発光パターン毎に、一意の数値幅が割り当てられており、
所定の発光パターンにおける所定の発光タイミングは、当該所定の発光パターンに割り当てられた数値幅の範囲内で、一意の数値が割り当てられており、
前記所定の発光パターンにおける前記所定の発光タイミングを示す前記制御信号は、当該所定の発光タイミングに割り当てられた前記数値を示す信号である、
ようにすることができる。
【０００９】
前記マスター装置と前記複数のスレーブ装置の夫々に対して、前記有線で電力を供給する電力供給をさらに備える、
ようにすることができる。
【００１０】
本発明の一態様の標識点灯方法は、上述の本発明の一態様の標識点灯システムに対応する方法である。
【発明の効果】
【００１１】
本発明によれば、発光部の発光により点灯する標識の個数や取付順番によらず、各種各様な発光パターン及び発光タイミングでの発光制御を簡単に実現することができる。
【図面の簡単な説明】
【００１２】
【図１】本発明の看板点灯システムの一実施形態に係る導光式矢印板システムの全体構成を示す模式図である。
【図２】図１の導光式矢印板システムのうち、スレーブ装置として機能するＬＥＤ導光式矢印板の外観構成例を示す正面図である。
【図３】図２のＬＥＤ導光式矢印板１の内部構成を示す模式図である。
【図４】図１の導光式矢印板システムのうち、マスター装置として機能する制御ボックスの内部構成を示す模式図である。
【図５】図４の制御ボックスのメインコントローラが実行する矢印板点灯制御処理の流れの一例を説明するフローチャートである。
【図６】図３のＬＥＤ導光式矢印板の各サブコントローラが管理する発光モード表である。
【図７】本発明の標識点灯システムを、工事看板の点灯システムに適用した例を示す模式図である。
【図８】本発明の標識点灯システムを、工事看板の点灯システムに適用した例を示す模式図である。
【図９】本発明の標識点灯システムを、イベント会場等での歩行者や乗用車等の誘導灯として用いられるコーンの点灯システムに適用した例を示す模式図である。
【図１０】本発明の標識点灯システムを、イベント会場等での歩行者や乗用車等の誘導灯として用いられるコーンの点灯システムに適用した例を示す模式図である。
【図１１】従来の山型矢印板に対して、本発明の標識点灯システムを適用した例を示す模式図である。
【発明を実施するための形態】
【００１３】
図１は、本発明の看板点灯システムの一実施形態に係る導光式矢印板システムの全体構成を示す模式図である。
【００１４】
図１に示すように、本実施形態に係る導光式矢印板システムは、Ｎ台（Ｎは任意の整数値）のＬＥＤ導光式矢印板１−１乃至１−Ｎと、制御ボックス２と、ケーブル３と、太陽光発電システム４とを備える。
太陽光発電システム４は、太陽光パネル４１と、バッテリ４２とを備える。
なお、ＬＥＤ導光式矢印板１−１乃至１−Ｎの夫々を、個々に区別する必要がない場合これらをまとめて、以下「ＬＥＤ導光式矢印板１」と呼ぶ。
また、特に図示はしないが、本実施形態に係る導光式矢印板システムは、電源として、太陽光発電システム４の他、商用交流電源を用いることもできる。ただし、以下説明の便宜上、本実施形態に係る導光式矢印板システムは、電源として太陽光発電システム４が採用されているものとして説明する。
【００１５】
図２は、ＬＥＤ導光式矢印板１の外観構成例を示す正面図である。
ＬＥＤ導光式矢印板１は、筐体１１と、看板部１２と、ＬＥＤ光源１３と、分岐部１４とを備える。
【００１６】
筐体１１は、例えばアルミ製の直方体の形状を有し、正面（図２に示される面）に看板部１２を嵌め込むことが可能な構造を有している。
看板部１２は、例えば本実施形態ではいわゆる矢印板として機能し、矢印部と周囲部分とが異色で塗り分けられたアクリル板である。
【００１７】
ＬＥＤ光源１３は、制御ボックス２からの発光制御に基づいて、発光や消灯のパターンを変化させて発光することが可能な、棒状のＬＥＤ光源である。なお、消灯だけのパターン（後述する図５の「モード３」の「強制消灯」等）も、発光を禁止するパターンと捉えることができる。そこで、以下、消灯だけのパターンも含めて、発光や消灯のパターンを「発光パターン」と呼ぶ。
図示はしないが、筐体１１内部には、導光板が設けられており、ＬＥＤ光源１３から発光された光は、導光板により導光されて、看板部１２の面全体を照射する。つまり、本実施形態では、ＬＥＤ光源１３と導光板による面発光の発光方式が採用されている。
【００１８】
このように、本実施形態では、ＬＥＤ導光式矢印板１の発光方式として、ＬＥＤ光源１３と導光板による面発光の方式が採用されているので、次のような効果を奏することが可能になる。
即ち、従来の矢印板では、矢印の形状に沿って、単に、複数のＬＥＤ球が所定間隔毎に埋め込まれているだけであった（例えば上述の特許文献１，２参照）。このように、従来の矢印板では、ＬＥＤの直接光源により発光していたため、光が強くなり、その結果、明るくなり過ぎることが多々あった。このため、矢印板をみるユーザにとっては、複数のＬＥＤ球の発光により表しているものが、矢印であると視認することが困難になる場合があった。また、消費電力の観点から、矢印板の大型化は困難であり、小型なものがほとんどであった。
これに対して、本実施形態では導光板により、看板部１２全体において均一な面発光が可能になるため、当該看板部１２をみるユーザにとっては、矢印であることを即座にかつ明確に視認することができるようになる。また、従来と比較して消費電力を抑えることができるので、ＬＥＤ導光式矢印板１の大型化が容易に実現可能になる。
【００１９】
分岐部１４は、制御ボックス２を起点に、ケーブルにより複数のＬＥＤ導光式矢印板１を順次接続していく際に、当該ケーブルを接続する接続部として機能する。
ＬＥＤ導光式矢印板１は、このケーブルを介して、即ち有線により、制御ボックス２や他のＬＥＤ導光式矢印板１と通信（シリアル通信）をすると共に、太陽光発電システム４から電力供給を受けて駆動する。
【００２０】
図３は、ＬＥＤ導光式矢印板１の内部構成を示す模式図である。
ＬＥＤ導光式矢印板１の内部には、上述の導光板の他に、図３に示すように、ＤＣ−ＤＣコンバータ１５と、サブコントローラ１６と、パワーＭＯＳ−ＦＥＴ１７とが設けられている。また、分岐部１４は、番号１乃至５の端子を含むコネクタとして構成されている。
【００２１】
分岐部１４において、例えば番号１と番号２の端子は電源ラインの端子であり、ＤＣ−ＤＣコンバータ１５に接続される。即ち、本実施形態の導光式矢印板システムの電源は、上述の図１に示すように、太陽光発電システム４である。具体的には、太陽光パネル４１により集光された太陽光に基づいて蓄電されたバッテリ４２から、直流で電力が供給される。
ＤＣ−ＤＣコンバータ１５は、番号１と番号２の端子に印可された電源電圧を、サブコントローラ１６とパワーＭＯＳ−ＦＥＴ１７とが駆動可能な直流電圧に変換して印加する。
【００２２】
分岐部１４において、例えば番号３の端子は制御信号を入力する端子であり、番号４の端子は制御信号を出力する端子である。
即ち、サブコントローラ１６は、制御ボックス２又は前段のＬＥＤ導光式矢印板１から出力された制御信号を、番号３の端子を介して入力する。そして、サブコントローラ１６は、当該制御信号に基づいて、ＬＥＤ光源１３の発光パターン及び発光タイミングを可変する発光制御を実行する。
より正確には、パワーＭＯＳ−ＦＥＴ１７が、ＬＥＤ光源１３を駆動して発光させる。従って、サブコントローラ１６は、パワーＭＯＳ−ＦＥＴ１７に対して駆動制御を実行する。
また、サブコントローラ１６は、当該制御信号を、番号４の端子を介して、後段のＬＥＤ導光式矢印板１に対して出力する。
【００２３】
つまり、本実施形態では、マスター装置として機能する制御ボックス２が、スレーブ装置として機能するＮ台のＬＥＤ導光式矢印板１−１乃至１−Ｎの夫々に対して、ＬＥＤ光源１３の発光制御を実行する。
即ち、制御ボックス２は、発光モード及び発光タイミングを示す制御信号を生成して、出力する。
すると、当該制御信号は、制御ボックス２に一番近いＬＥＤ導光式矢印板１−１に入力される。ＬＥＤ導光式矢印板１−１のサブコントローラ１６は、入力された制御信号に基づいて、ＬＥＤ光源１３の発光制御を実行する。つまり、ＬＥＤ導光式矢印板１−１のＬＥＤ光源１３は、当該制御信号で示される発光モード及び発光タイミングに従って、発光や消灯をする。この発光制御が終了すると、ＬＥＤ導光式矢印板１−１のＬＥＤ光源１３は、次の制御信号が到達するまで消灯を継続する。
ＬＥＤ導光式矢印板１−１のＬＥＤ光源１３の発光制御が開始されると、当該制御信号は、ＬＥＤ導光式矢印板１−１の後段のＬＥＤ導光式矢印板１−２に伝送される。ＬＥＤ導光式矢印板１−２のサブコントローラ１６は、入力された制御信号に基づいて、ＬＥＤ光源１３の発光制御を実行する。つまり、ＬＥＤ導光式矢印板１−２のＬＥＤ光源１３は、当該制御信号で示される発光モード及び発光タイミングに従って、発光や消灯をする。この発光制御が終了すると、ＬＥＤ導光式矢印板１−２のＬＥＤ光源１３は、次の制御信号が到達するまで消灯を継続する。
ＬＥＤ導光式矢印板１−２のＬＥＤ光源１３の発光制御が開始されると、当該制御信号は、ＬＥＤ導光式矢印板１−２の後段のＬＥＤ導光式矢印板１−３に伝送される。
以下、同様な一連の処理が繰り返し実行される。即ち、当該制御信号は、ＬＥＤ導光式矢印板１−１乃至１−Ｎに対してその順番に順次伝送されていく。当該制御信号が到達したＬＥＤ導光式矢印板１では、サブコントローラ１６の制御により、当該制御信号に従ったＬＥＤ光源１３の発光制御が順次実行される。
つまり、ＬＥＤ導光式矢印板１−１乃至１−Ｎの夫々においてその順番で順次、当該制御信号に従った発光パターン及び発光タイミングでＬＥＤ光源１３の発光や消灯が行われていく。
【００２４】
このように、本実施形態では、マスター装置として機能する制御ボックス２が、発光モード及び発光タイミングを示す制御信号を有線で送信するだけで、スレーブ装置として機能するＮ台のＬＥＤ導光式矢印板１−１乃至１−Ｎの夫々のサブコントローラ１６は、制御信号が示す発光モード及び発光タイミングを各自判断して、その判断結果に基づいてＬＥＤ光源１３の発光制御を自律的に実行することができる。
これにより、複数のＬＥＤ導光式矢印板１の個数や取付順番によらず、複数のＬＥＤ導光式矢印板１に対する各種各様な発光パターン及び発光タイミングを用いたＬＥＤ光源１３の発光制御を、より簡単に実現することが可能になる。
なお、制御ボックス２から無線通信で複数のＬＥＤ導光式矢印板１の夫々に対して制御パターンを送信する方式も考えられる。しかしながら、この方式の場合、宛先を指定しなければならず、ＬＥＤ導光式矢印板１の個数が変化したり、並び順が変化する場合には、宛先の指定をその都度変えなければならず、対応が非常に困難になってしまい、現実的ではない。
【００２５】
このようなＬＥＤ導光式矢印板１−１乃至１−Ｎの夫々におけるＬＥＤ光源１３の発光制御を実行すべく、マスター装置として機能する制御ボックス２は図４に示すような構成を有している。
図４は、マスター装置として機能する制御ボックス２の内部構成を示す模式図である。
【００２６】
図４に示すように、制御ボックス２には、コネクタ２１と、コネクタ２２と、ＤＣ−ＤＣコンバータ２３と、メインコントローラ２４と、ロータリースイッチ２５と、トグルスイッチ２６乃至２９と、メインスイッチ３０とが設けられている。
【００２７】
コネクタ２１は、太陽光発電システム４と有線で接続するものであり、太陽光パネル４１のバッテリ４２から出力された直流の電力を入力して、ＤＣ−ＤＣコンバータ２３等に供給する。
ＤＣ−ＤＣコンバータ２３は、コネクタ２１に印可された電源電圧を、メインコントローラ２４が駆動可能な直流電圧に変換して印加する。
【００２８】
メインコントローラ２４は、導光式矢印板システムの全体の動作を制御する。メインコントローラ２４は、例えば、Ｎ台のＬＥＤ導光式矢印板１−１乃至１−Ｎの夫々に対するＬＥＤ光源１３の発光制御として、発光モード及び発光タイミングを示す制御信号を生成する。
この発光モードや発光タイミングの設定は、導光式矢印板システムのユーザや管理者による、ロータリースイッチ２５や、トグルスイッチ２６乃至２９の指示操作に基づいて行われる。ロータリースイッチ２５や、トグルスイッチ２６乃至２９の夫々に割り当てられた指示内容については、図５の説明をする際に後述する。
メインスイッチ３０は、制御ボックス２の電源のＯＮ／ＯＦＦを切替えるスイッチである。
【００２９】
コネクタ２２は、番号１乃至５の端子を有している。
例えば番号１乃至番号３の端子は電源ラインの端子である。太陽光パネル４１のバッテリ４２から出力された直流の電力は、コネクタ２１及びコネクタ２２の番号１乃至番号３の少なくとも２つの端子を介して、後段のＬＥＤ導光式矢印板１に供給される。
例えば番号４の端子は制御信号を出力する端子である。即ち、メインコントローラ２４から出力された制御信号は、番号４の端子を介して、後段のＬＥＤ導光式矢印板１（図１の例ではＬＥＤ導光式矢印板１‐１）に供給される。
【００３０】
次に、このような制御ボックス２（マスター装置）のメインコントローラ２４が実行する処理のうち、Ｎ台のＬＥＤ導光式矢印板１−１乃至１−Ｎ（スレーブ装置）の夫々に対するＬＥＤ光源１３の発光制御を実現するための処理（以下、「矢印版点灯制御処理」と呼ぶ）について説明する。
図５は、制御ボックス２のメインコントローラ２４が実行する矢印板点灯制御処理の流れの一例を説明するフローチャートである。
【００３１】
ステップＳ１において、メインコントローラ２４は、明るさの検知をする。
ステップＳ２において、メインコントローラ２４は、検知した明るさＣｄｓが閾値を超えているか否かを判定する。
【００３２】
検知した明るさＣｄｓが閾値を超えている場合、即ち周囲が明るい場合、ステップＳ２においてＹＥＳであると判定されて、処理はステップＳ４７に進む。
ステップＳ４７において、メインコントローラ２４は、モードを「消灯」に設定し、データ「０」を制御信号として０．１ｓ間隔で後段のＬＥＤ導光式矢印板１に送信する。
これにより、処理はステップＳ１に戻され、それ以降の処理が繰り替えされる。
【００３３】
この場合、ＬＥＤ導光式矢印板１−１乃至１−Ｎの夫々は、その順番で順次、次のような処理を実行する。
即ち、「０」を示す制御信号が、制御ボックス２又は前段のＬＥＤ導光式矢印板１から供給されると、ＬＥＤ導光式矢印板１のサブコントローラ１６は、「０」の制御信号からモードが「消灯」であることを認識し、ＬＥＤ光源１３を消灯させる。なお、モードの認識の手法は図６を参照して後述する。
【００３４】
これに対して、検知した明るさＣｄｓが閾値以下の場合、即ち周囲が暗い場合、ステップＳ２においてＮＯであると判定されて、処理はステップＳ３に進む。
ステップＳ３において、メインコントローラ２４は、モードセレクトスイッチのどれが「ＯＮ」になっているのかを検出する。
本実施形態では、モードセレクトスイッチは、トグルスイッチ２６乃至２９により構成されている。つまり、導光式矢印板システムのユーザや管理者は、トグルスイッチ２６乃至２９を適宜操作することで、「モード０」乃至「モード５」のうち任意のものを設定することができる。
「モード０」とは、ＬＥＤ導光式矢印板１−１乃至１−Ｎの夫々をその順番で順次点灯させる発光パターンのうち、第１のパターン（以下、「順次１」と呼ぶ）のモードをいう。
「モード１」とは、ＬＥＤ導光式矢印板１−１乃至１−Ｎの夫々をその順番で順次点灯させる発光パターンのうち、第２のパターン（以下、「順次２」と呼ぶ）のモードをいう。
「モード２」とは、ＬＥＤ導光式矢印板１−１乃至１−Ｎの夫々をその順番で順次点灯させる発光パターンのうち、第３のパターン（以下、「順次３」と呼ぶ）のモードをいう。
「モード３」とは、ＬＥＤ導光式矢印板１−１乃至１−Ｎの全てを強制的に消灯させるパターン（以下、「強制消灯」と呼ぶ）のモードをいう。周囲が明るい場合の「消灯」のモードと実質同一のモードが、モード３である。
「モード４」とは、ＬＥＤ導光式矢印板１−１乃至１−Ｎの夫々が交互に点灯させる発光パターン（以下、「交互」と呼ぶ）のモードをいう。
「モード５」とは、ＬＥＤ導光式矢印板１−１乃至１−Ｎの全てを常時点灯させる発光パターン（以下、「全点灯」と呼ぶ）のモードをいう。
【００３５】
ステップＳ４において、メインコントローラ２４は、ステップＳ３の検出結果に基づいて、「モード０」が設定されているか否かを判定する。
「モード０」が設定されている場合、ステップＳ４においてＹＥＳであると判定されて、次のようなステップＳ１１乃至Ｓ１７の一連の処理が実行される。その結果、ＬＥＤ導光式矢印板１−１乃至１−Ｎの夫々のＬＥＤ光源１３が「順次１」の発光パターンで点灯するように制御される。
【００３６】
ステップＳ１１において、メインコントローラ２４は、速さの切換えスイッチのどれが「ＯＮ」になっているのかを検出する。
本実施形態では、速さの切換えスイッチは、ロータリースイッチ２５により構成されている。つまり、導光式矢印板システムのユーザや管理者は、ロータリースイッチ２５を適宜操作することで、発光タイミング（点灯時間と消灯時間の速さの関係）を段階的に切り替えることができる。
「モード０」乃至「モード２」の場合、即ち発光パターンが「順次１」乃至「順次３」の場合、ロータリースイッチ２５により、「低速」、「中速」、及び「低速」の何れかが設定可能であるとする。
「モード４」の場合、即ち発光パターンが「交互」の場合、ロータリースイッチ２５により、「Ｔ１間隔」又は「Ｔ２間隔」が選択可能であるとする。
【００３７】
ステップＳ１２において、メインコントローラ２４は、ステップＳ１１の検出結果に基づいて、「低速」が設定されているか否かを判定する。
「低速」が設定されている場合、ステップＳ１２において、ＹＥＳであると判定されて、処理はステップＳ１４に進む。
ステップＳ１４において、メインコントローラ２４は、「モード０」の「低速」の発光制御を実行する。即ち、メインコントローラ２４は、点灯時間［Ｔ１］＝データ［Ｘ１］を制御信号として、後段のＬＥＤ導光式矢印板１に送信する。その後、メインコントローラ２４は、消灯時間（α）だけ何もせず待機し、処理をステップＳ１に戻す。
ここで、パラメータＴ１、αは、「モード０」に対して予め設定されたものである。つまり、「モード０」のパラメータＴ１、αは、他のモードで設定されたパラメータＴ１、αとは独立して設定されたものである。
【００３８】
この場合、ＬＥＤ導光式矢印板１−１乃至１−Ｎの夫々は、その順番で順次、次のような処理を実行する。
即ち、「Ｘ１」を示す制御信号が、制御ボックス２又は前段のＬＥＤ導光式矢印板１から供給されると、ＬＥＤ導光式矢印板１のサブコントローラ１６は、図６に示すテーブルに従って「モード０」が指示されたことを認識する。
【００３９】
図６は、ＬＥＤ導光式矢印板１−１乃至１−Ｎの各サブコントローラ１６が管理する発光モード表である。図６に示すように、制御信号を示すデータ［Ｘ］が取り得る範囲が、各モード毎に予め設定されている。なお、図６の例では、将来のモード拡張用に、取り得る範囲が余裕をもって複数種類設定されている。
ここで、メインコントローラ２４において、［モード０］の点灯時間［Ｔ１］は、０＜Ｔ１＜＝２０の範囲で設定される。従って、ステップＳ１５においてメインコントローラ２４から出力されるデータ［Ｘ１］もまた、０＜Ｘ１＜＝２０の範囲となる。
そこで、ＬＥＤ導光式矢印板１−１乃至１−Ｎの各サブコントローラ１６は、０＜Ｘ１＜＝２０の範囲を取るデータ［Ｘ１］を制御信号として取得することで、「モード０」が指示されたことを認識する。
制御信号が入力されたＬＥＤ導光式矢印板１のサブコントローラ１６は、点灯時間［Ｔ１］だけＬＥＤ光源１３を発光させ、その後消灯させる。この発光制御が終了すると、ＬＥＤ導光式矢印板１のＬＥＤ光源１３は、（モードが変わらなければ）消灯時間αが経過して次の制御信号が到達するまで消灯を継続する。
また、このようなＬＥＤ光源１３の発光制御が開始されると、当該制御信号は、後段のＬＥＤ導光式矢印板１に伝送される。
このような一連の制御処理が、ＬＥＤ導光式矢印板１−１乃至１−Ｎの各サブコントローラ１６の夫々により実行されることで、ＬＥＤ導光式矢印板１−１乃至１−Ｎの夫々がその順番で点灯時間［Ｔ１］だけ順次発光していく、という「モード０」の「低速」の発光制御が実現される。
【００４０】
これに対して「低速」が設定されてない場合、ステップＳ１２において、ＮＯであると判定されて、処理はステップＳ１３に進む。
ステップＳ１３において、メインコントローラ２４は、ステップＳ１１の検出結果に基づいて、「中速」が設定されているか否かを判定する。
「中速」が設定されている場合、ステップＳ１３において、ＹＥＳであると判定されて、処理はステップＳ１５に進む。
ステップＳ１５において、メインコントローラ２４は、「モード０」の「中速」の発光制御を実行する。即ち、メインコントローラ２４は、点灯時間［Ｔ２］＝データ［Ｘ２］を制御信号として、後段のＬＥＤ導光式矢印板１に送信する。その後、メインコントローラ２４は、消灯時間（β）だけ何もせず待機し、処理をステップＳ１に戻す。
ここで、パラメータＴ２、βは、「モード０」に対して予め設定されたものである。つまり、「モード０」のパラメータＴ２、βは、他のモードで設定されたパラメータＴ２、βとは独立して設定されたものである。
【００４１】
この場合、ＬＥＤ導光式矢印板１−１乃至１−Ｎの夫々は、その順番で順次、次のような処理を実行する。
即ち、「Ｘ２」を示す制御信号が、制御ボックス２又は前段のＬＥＤ導光式矢印板１から供給されると、ＬＥＤ導光式矢印板１のサブコントローラ１６は、図６に示すテーブルに従って「モード０」が指示されたことを認識する。当該サブコントローラ１６は、点灯時間［Ｔ２］だけＬＥＤ光源１３を発光させ、その後消灯させる。この発光制御が終了すると、ＬＥＤ導光式矢印板１のＬＥＤ光源１３は、（モードが変わらなければ）消灯時間βが経過して次の制御信号が到達するまで消灯を継続する。
また、このようなＬＥＤ光源１３の発光制御が開始されると、当該制御信号は、後段のＬＥＤ導光式矢印板１に伝送される。
このような一連の制御処理が、ＬＥＤ導光式矢印板１−１乃至１−Ｎの各サブコントローラ１６の夫々により実行されることで、ＬＥＤ導光式矢印板１−１乃至１−Ｎの夫々がその順番で点灯時間［Ｔ２］だけ順次発光していく、という「モード０」の「中速」の発光制御が実現される。
【００４２】
これに対して「低速」も「中速」も設定されていない場合、即ち「高速」が設定されている場合、ステップＳ１３において、ＮＯであると判定されて、処理はステップＳ１６に進む。
ステップＳ１６において、メインコントローラ２４は、「モード０」の「高速」の発光制御を実行する。即ち、メインコントローラ２４は、点灯時間［Ｔ３］＝データ［Ｘ３］を制御信号として、後段のＬＥＤ導光式矢印板１に送信する。その後、メインコントローラ２４は、消灯時間（γ）だけ何もせず待機し、処理をステップＳ１に戻す。
ここで、パラメータＴ３、γは、「モード０」に対して予め設定されたものである。つまり、「モード０」のパラメータＴ３、γは、他のモードで設定されたパラメータＴ３、γとは独立して設定されたものである。
【００４３】
この場合、ＬＥＤ導光式矢印板１−１乃至１−Ｎの夫々は、その順番で順次、次のような処理を実行する。
即ち、「Ｘ３」を示す制御信号が、制御ボックス２又は前段のＬＥＤ導光式矢印板１から供給されると、ＬＥＤ導光式矢印板１のサブコントローラ１６は、図６に示すテーブルに従って「モード０」が指示されたことを認識する。当該サブコントローラ１６は、点灯時間［Ｔ３］だけＬＥＤ光源１３を発光させ、その後消灯させる。この発光制御が終了すると、ＬＥＤ導光式矢印板１のＬＥＤ光源１３は、（モードが変わらなければ）消灯時間γが経過して次の制御信号が到達するまで消灯を継続する。
また、このようなＬＥＤ光源１３の発光の制御が開始されると、当該制御信号は、後段のＬＥＤ導光式矢印板１に伝送される。
このような一連の制御処理が、ＬＥＤ導光式矢印板１−１乃至１−Ｎの各サブコントローラ１６の夫々により実行されることで、ＬＥＤ導光式矢印板１−１乃至１−Ｎの夫々がその順番で点灯時間［Ｔ３］だけ順次発光していく、という「モード０」の「高速」の発光制御が実現される。
【００４４】
以上、「モード０」が設定されている場合、即ち発光パターンとして「順次１」が設定されている場合の一連の処理として、ステップＳ１１乃至Ｓ１６の処理について説明した。
なお、本実施形態では「高速」、「中速」、及び「低速」の３段階の速さが採用されていたため、ステップＳ１２及びＳ１３の２段階の分岐のみであった。しかしながら、速さの段階は３段階に特に限定されず、任意の段階が可能であり、この場合、分岐の数も速さの段階に応じて増減する。この点は、「モード１」や「モード２」等についても同様である。
【００４５】
「モード１」が設定されている場合、即ち発光パターンとして「順次２」が設定されている場合、ステップＳ４においてＮＯであると判定されて、さらにステップＳ５においてＹＥＳであると判定されて、ステップＳ１７乃至Ｓ２２の一連の処理が実行される。
「モード１」のステップＳ１７乃至Ｓ２２の一連の処理は、上述した「モード０」のステップＳ１１乃至Ｓ１６の一連の処理と基本的に同様であるので、ここではその説明は省略する。
【００４６】
「モード２」が設定されている場合、即ち発光パターンとして「順次３」が設定されている場合、ステップＳ４及びＳ５の夫々においてＮＯであると判定されて、さらにステップＳ６においてＹＥＳであると判定されて、ステップＳ２３乃至Ｓ２８の一連の処理が実行される。
「モード２」のステップＳ２３乃至Ｓ２８の一連の処理は、上述した「モード０」のステップＳ１１乃至Ｓ１６の一連の処理と基本的に同様であるので、ここではその説明は省略する。
【００４７】
「モード３」が設定されている場合、即ち発光パターンとして「強制消灯」が設定されている場合、ステップＳ４、Ｓ５、及びＳ６の夫々においてＮＯであると判定されて、処理はステップＳ７に進む。
ステップＳ７において、メインコントローラ２４は、ステップＳ３の検出結果に基づいて、「モード３」が設定されているか否かを判定する。
「モード３」が設定されている場合、ステップＳ７において、ＹＥＳであると判定されて、処理はステップＳ４１に進む。
ステップＳ４１において、メインコントローラ２４は、モードを「消灯」に設定し、データ「０」を制御信号として０．１ｓ間隔で後段のＬＥＤ導光式矢印板１に送信する。
これにより、処理はステップＳ１に戻され、それ以降の処理が繰り替えされる。
【００４８】
この場合、ＬＥＤ導光式矢印板１−１乃至１−Ｎの夫々は、その順番で順次、次のような処理を実行する。
即ち、「０」を示す制御信号が、制御ボックス２又は前段のＬＥＤ導光式矢印板１から供給されると、ＬＥＤ導光式矢印板１のサブコントローラ１６は、図６に示すテーブルに従って「モード３」が指示されたことを認識し、ＬＥＤ光源１３を消灯させる。
【００４９】
「モード４」が設定されている場合、即ち発光パターンとして「交互」が設定されている場合、ステップＳ４、Ｓ５、Ｓ６、及びＳ７の夫々においてＮＯであると判定されて、処理はステップＳ８に進む。
ステップＳ８において、メインコントローラ２４は、ステップＳ３の検出結果に基づいて、「モード４」が設定されているか否かを判定する。
「モード４」が設定されている場合、ステップＳ８においてＹＥＳであると判定されて、処理はステップＳ４２に進む。
ステップＳ４２において、メインコントローラ２４は、速さの切換えスイッチのどれが「ＯＮ」になっているのかを検出する。
【００５０】
ステップＳ４３において、メインコントローラ２４は、ステップＳ４２の検出結果に基づいて、「Ｔ１間隔」が設定されているか否かを判定する。
「Ｔ１間隔」が設定されている場合、ステップＳ４３において、ＹＥＳであると判定されて、処理はステップＳ４４に進む。
ステップＳ４４において、メインコントローラ２４は、「交互」の「Ｔ１間隔」の発光制御を実行する。即ち、メインコントローラ２４は、点灯時間［Ｔ１］＋（−２０）＝データ［Ｘ１］を制御信号として、後段のＬＥＤ導光式矢印板１に送信する。その後、メインコントローラ２４は、消灯時間（Ｔ１）だけ待機し、処理をステップＳ１に戻す。
ここで、パラメータＴ１は、「モード４」に対して予め設定されたものである。つまり、「モード４」のパラメータＴ１は、他のモードで設定されたパラメータＴ１とは独立して設定されたものである。
【００５１】
この場合、ＬＥＤ導光式矢印板１−１乃至１−Ｎの夫々は、その順番で順次、次のような処理を実行する。
即ち、「Ｘ１」を示す制御信号が、制御ボックス２又は前段のＬＥＤ導光式矢印板１から供給されると、ＬＥＤ導光式矢印板１のサブコントローラ１６は、図６に示すテーブルに従って「モード４」が指示されたことを認識する。
当該サブコントローラ１６は、点灯時間［Ｔ１］だけＬＥＤ光源１３を発光させ、その後点灯時間［Ｔ１］と同一時間だけ消灯させる。この発光の制御が終了すると、次の制御信号が到達するまで消灯を継続する。
また、このようなＬＥＤ光源１３の発光制御が開始されると、当該制御信号は、後段のＬＥＤ導光式矢印板１に伝送される。
このような一連の制御処理が、ＬＥＤ導光式矢印板１−１乃至１−Ｎの各サブコントローラ１６の夫々により実行されることで、ＬＥＤ導光式矢印板１−１乃至１−Ｎの夫々が点灯時間［Ｔ１］だけ発光した後それと同一時間だけ消灯する、という「モード４」の「Ｔ１間隔」の発光制御が実現される。
【００５２】
これに対して「Ｔ１間隔」が設定されていない場合、即ち「Ｔ２間隔」が設定されている場合、ステップＳ４３においてＮＯであると判定されて、処理はステップＳ４５に進む。
ステップＳ４５において、メインコントローラ２４は、「交互」の「Ｔ２間隔」の発光制御を実行する。即ち、メインコントローラ２４は、点灯時間［Ｔ２］＋（−２０）＝データ［Ｘ２］を制御信号として、後段のＬＥＤ導光式矢印板１に送信する。その後、メインコントローラ２４は、消灯時間（Ｔ２）だけ待機し、処理をステップＳ１に戻す。
ここで、パラメータＴ２は、「モード４」に対して予め設定されたものである。つまり、「モード４」のパラメータＴ２は、他のモードで設定されたパラメータＴ２とは独立して設定されたものである。
【００５３】
この場合、ＬＥＤ導光式矢印板１−１乃至１−Ｎの夫々は、その順番で順次、次のような処理を実行する。
即ち、「Ｘ２」を示す制御信号が、制御ボックス２又は前段のＬＥＤ導光式矢印板１から供給されると、ＬＥＤ導光式矢印板１のサブコントローラ１６は、図６に示すテーブルに従って「モード４」が指示されたことを認識する。
当該サブコントローラ１６は、点灯時間［Ｔ２］だけＬＥＤ光源１３を発光させ、その後点灯時間［Ｔ２］と同一時間だけ消灯させる。この発光制御が終了すると、次の制御信号が到達するまで消灯を継続する。
また、このようなＬＥＤ光源１３の発光制御が開始されると、当該制御信号は、後段のＬＥＤ導光式矢印板１に伝送される。
このような一連の制御処理が、ＬＥＤ導光式矢印板１−１乃至１−Ｎの各サブコントローラ１６の夫々により実行されることで、ＬＥＤ導光式矢印板１−１乃至１−Ｎの夫々が点灯時間［Ｔ２］だけ発光した後それと同一時間だけ消灯する、という「モード４」の「Ｔ２間隔」の発光制御が実現される。
【００５４】
以上、「モード４」が設定されている場合、即ち発光パターンとして「交互」が設定されている場合の一連の処理として、ステップＳ４２乃至Ｓ４５の処理について説明した。
なお、本実施形態では「Ｔ１間隔」及び「Ｔ２間隔」の２段階の点灯間隔が採用されていたため、ステップＳ４３の１段階の分岐のみであった。しかしながら、点灯間隔の段階は３段階に特に限定されず、任意の段階が可能であり、この場合、分岐の数も速さの段階に応じて増減する。この点は、「モード１」や「モード２」等についても同様である。
【００５５】
「モード５」が設定されている場合、即ち発光パターンとして「強制点灯」の設定の可能性がある場合、ステップＳ４、Ｓ５、Ｓ６、Ｓ７、及びＳ８の夫々においてＮＯであると判定されて、処理はステップＳ４６に進む。
ステップＳ４６において、メインコントローラ２４は、モードを「全点灯」に設定し、データ「１２５」を制御信号として０．１ｓ間隔で後段のＬＥＤ導光式矢印板１に送信する。
これにより、処理はステップＳ１に戻され、それ以降の処理が繰り替えされる。
【００５６】
この場合、ＬＥＤ導光式矢印板１−１乃至１−Ｎの夫々は、その順番で順次、次のような処理を実行する。
即ち、「１２５」を示す制御信号が、制御ボックス２又は前段のＬＥＤ導光式矢印板１から供給されると、ＬＥＤ導光式矢印板１のサブコントローラ１６は、図６に示すテーブルに従って「モード５」が指示されたことを認識し、少なくとも次の制御信号が到達するまでの間、ＬＥＤ光源１３を常時点灯させる。
また、このようなＬＥＤ光源１３の発光制御が開始されると、当該制御信号は、後段のＬＥＤ導光式矢印板１に伝送される。
このような一連の制御処理が、ＬＥＤ導光式矢印板１−１乃至１−Ｎの各サブコントローラ１６の夫々により実行されることで、ＬＥＤ導光式矢印板１−１乃至１−Ｎの夫々は常時点灯する、という「モード５」の発光制御が実現される。
【００５７】
以上本発明の一実施形態について説明したが、本発明は、上述の実施形態に限定されるものではなく、本発明の目的を達成できる範囲での変形、改良等は本発明に含まれるものである。
【００５８】
例えば、上述の実施形態では、マスター装置は制御ボックス２であり、当該マスター装置による発光制御の対象となるスレーブ装置は、ＬＥＤ導光式矢印板１−１乃至１−Ｎであったが、特にこれに限定されない。
即ち、本発明の看板点灯システムは、マスター装置と、発光部の発光により点灯する標識を夫々含む複数のスレーブ装置とからなるシステム一般に広く適用可能である。
【００５９】
図７及び図８は、本発明の標識点灯システムを、工事看板の点灯システムに適用した例を示す模式図である。
つまり、図７及び図８の例では、標識として工事看板が採用されている。
図７の例の標識点灯システムは、１台のスレーブ装置１００と、マスター装置２００とから構成されている。
図８の例の標識点灯システムは、４台のスレーブ装置１００−１乃至１００−４と、マスター装置２００とから構成されている。即ち、図８の例では、マスター装置２００とスレーブ装置１００−１乃至１００−４は、マスター装置２００を先頭に所定の順番で有線により接続されている。以下、スレーブ装置１００−１乃至１００−４の個々を区別する必要がない場合、これらをまとめて、「スレーブ装置１００」と呼ぶ
なお、スレーブ装置１００の台数は図８の例の４台に限定されず、任意であることは言うまでもない。
【００６０】
ここで、スレーブ装置１００は、図８には図示はしないが、発光部を有している。
具体的には例えば、上述の実施形態のように、発光部は、ＬＥＤ光源と導光板による面発光の発光方式を採用することができる。
これにより、上述の実施形態と同様の効果を奏することができる。即ち、この場合の工事看板は、ＬＥＤ光源と導光板による面発光の発光方式（内照式）により、均一に明るい板面になる。これにより、視認性がよくなる。また、内照式の特徴として、遠方からでも存在を示しやすくなる。その結果、工事看板の誘導に従うべき走行車の安全を図ることが容易に可能になる。
【００６１】
マスター装置２００は、図８には図示しないが、制御部と、送信部とを有する。
制御部は、発光部の発光パターンと発光タイミングを示す制御信号を生成する。送信部は、制御信号を、最前段のスレーブ装置１００（図８の例ではスレーブ装置１００−１）に対して有線で送信する。
スレーブ装置１００は、図８には図示しないが、受信部と、発光制御部と、送信部とを有する。
受信部は、前段のマスター装置２００又は前段のスレーブ装置１００から、制御信号を受信する。
発光制御部は、受信部に受信された制御信号から、発光パターンと発光タイミングを認識し、その認識結果に基づいて発光部の発光の制御を実行する。
送信部は、後段のスレーブ装置１００に対して、受信部に受信された制御信号を送信する。
【００６２】
これにより、図７の例のように、１枚の工事看板のみを点滅させることができることは勿論のこと、図８の例のようい、複数の工事看板を並べて、各種各様の発光パターン及び発光タイミングで発光させることも容易にできる。
例えばマスター装置２００の制御部が、上述の図５のフローチャートと同様の処理を実行することで、モード０乃至モード５のうち任意のモードでの発光制御を容易に実行できる。例えば、モード０等を設定することで、図８に示すように、スレーブ装置１０１−１乃至１０１−４の夫々をその順番で順次発光させていくこと、つまり、白抜き矢印で示すように、あたかも光が左から右に流れるような感じで発光させることが容易に可能になる。
【００６３】
なお、従来の工事看板としては、プリズム反射シート（外光反射型）や、スポットライトタイプの看板が存在する。
プリズム反射シートについては、上述の本発明の標識点灯システムは採用することはできない。このプリズム反射シートでは、工事看板の誘導に従うべき走行車が、アンダーライト（ライトが地面を照らしている状態）の場合、近くならないと光が反射しないため、走行車の乗員が見落としてしまう可能性があり、工事看板として不適である。
このプリズム反射シートの欠点を補うために登場したのが、スポットライトタイプである。スポットライトを発光部とすることで、上述の本発明の標識点灯システムは採用することができる。ただし、スポットライトの光が強いところは、ハレーションを起こして視認しにくいため、光から遠くの箇所は暗くなるといった問題も生ずる。
従って、本発明の標識点灯システムは、上述したように、ＬＥＤ光源と導光板による面発光の発光方式（内照式）を採用した標識に適用すると好適である。
【００６４】
図９及び図１０は、本発明の標識点灯システムを、イベント会場等での歩行者や乗用車等の誘導灯として用いられるコーンの点灯システムに適用した例を示す模式図である。
つまり、図９及び図１０の例では、コーンを用いた標識が採用されている。
コーンを用いた標識とは、図９の例のように、各コーン４００の上部に置かれた点灯式の看板、即ち、看板点灯式のスレーブ装置３００−１乃至３００−３を用いる方式と、図１０の例のように、各コーン４００の下部に発光部を有するスレーブ装置５００を配置させて、各コーン４００自体を発光させるタイプの両タイプを含む。
【００６５】
この場合も、図９及び図１０に図示せぬマスター装置は、制御部と、送信部とを有する。
制御部は、発光部の発光パターンと発光タイミングを示す制御信号を生成する。送信部は、制御信号を、最前段のスレーブ装置（図９の例ではスレーブ装置３００−１であり、図１０の例では図示されているスレーブ装置５００）に対して有線で送信する。
スレーブ装置は、図９及び図１０には図示しないが、受信部と、発光制御部と、送信部とを有する。
受信部は、前段のマスター装置又は前段のスレーブ装置から、制御信号を受信する。
発光制御部は、受信部に受信された制御信号から、発光パターンと発光タイミングを認識し、その認識結果に基づいて発光部の発光の制御を実行する。
送信部は、後段のスレーブ装置に対して、受信部に受信された制御信号を送信する。
【００６６】
図１１は、従来の山型矢印板に対して、本発明の標識点灯システムを適用した例を示す模式図である。
具体的には、図１１（Ａ）は、昼用の従来の山型矢印板６００と夜用の従来の自発光式矢印板６０１を示す図である。
図１１（Ｂ），（Ｃ）は、従来の山型矢印板６００に対して、本発明の標識点灯システムのスレーブ装置として機能する矢印板６０２を適用した例を示す図である。
【００６７】
ここで、本発明の標識点灯システムのスレーブ装置として機能する矢印板６０２とは、発光部の発光により点灯する矢印の標識を含むスレーブ装置であり、受信部と、発光制御部と、送信部とを少なくとも備える。受信部は、前段のマスター装置（図１１には図示せず）又は前段の矢印板６０２から、制御信号を受信する。発光制御部は、受信部に受信された制御信号から、発光パターンと発光タイミングを認識し、その認識結果に基づいて発光部の発光の制御を実行する。送信部は、後段の矢印板６０２に対して、受信部に受信された制御信号を送信する。
【００６８】
ここで、図１１（Ｂ）に示す様に、従来の山型矢印板６００に対して、矢印板６０２を自在に着脱可能な取付部６０３を設けることができる。このようにして、図１１（Ｃ）に示す様に、従来の山型矢印板６００に対して矢印板６０２を取り付けることができるので、昼夜兼用の矢印板を具現化することが容易にできる。
これにより、従来行われていた朝夕の交換作業、即ち、昼用の従来の山型矢印板６００と夜用の従来の自発光式矢印板６０１とを朝夕に交換する作業が不要になる。その結果、作業者の労力を軽減すると共に、作業中の事故リスクを軽減することもできる。
【００６９】
さらに、矢印板６０２として、導光式のもの（例えば上述の図２等のＬＥＤ導光式矢印板１）を採用することで、ＬＥＤを密に配置する場合と比較して、消費電力を低く抑えることが可能になる。
【００７０】
また、矢印板６０２のうち矢印が表示された看板部として、プリズムシート等の透過性のある反射シートを採用することができる。
これにより、乗用車等の乗員に対して、発光部の発光時には自己発光して矢印を視認させると共に、仮に電源停止等により発光部の発光が停止してしまった時でも、乗用車のヘッドライト等の外部光の反射により矢印を視認させることができる。このようにしてフェールセーフ（二重の安全対策）が可能になる。
【００７１】
また、１つの機能ブロックは、ハードウェア単体で構成してもよいし、ソフトウェア単体で構成してもよいし、それらの組み合わせで構成してもよい。
【００７２】
換言すると、本発明が適用される情報伝送システムは、上述の図１の実施形態としての標識点灯システムを含め、次のような構成を有する各種各様の実施形態を取ることができる。
即ち、本発明が適用される標識点灯システムは、
マスター装置（例えば図１の制御ボックス２）と、発光部（例えば図２や図３のＬＥＤ光源１３）の発光により点灯する標識（例えば図２の看板部１２）を夫々含む複数のスレーブ装置（例えば図１のＬＥＤ導光式矢印板１）とからなる標識点灯システムであり、
前記マスター装置と前記複数のスレーブ装置は、前記マスター装置を先頭に所定の順番で有線により接続されている。
マスター装置は、
前記発光部の発光パターンと発光タイミングを示す制御信号を生成する制御部（例えば図４のメインコントローラ２４）と、
前記制御信号を、最前段の前記スレーブ装置に対して前記有線で送信する送信部（例えば図４のコネクタ２２）と
を備える。
前記スレーブ装置は、
前段の前記マスター装置又は前段の前記スレーブ装置から、前記制御信号を受信する受信部（例えば図３の分岐部１４のうち番号３の端子）と、
前記受信部に受信された前記制御信号から、前記発光パターンと前記発光タイミングを認識し、その認識結果に基づいて前記発光部の発光の制御を実行する発光制御部（例えば図３のサブコントローラ１６）と、
後段の前記スレーブ装置に対して、前記受信部に受信された前記制御信号を送信する送信部（例えば図３の分岐部１４のうち番号４の端子）と、
を備える。
【００７３】
このように、マスター装置が、発光モード及び発光タイミングを示す制御信号を有線で送信するだけで、当該制御信号は、複数のスレーブ装置の夫々において配置順に順次有線で送信されていく。
制御信号を受信したスレーブ装置は、当該制御信号が示す発光モード及び発光タイミングを各自判断して、その判断結果に基づいて発光部の発光の制御を自律的に実行することができる。
これにより、発光部の発光により点灯する標識を含むスレーブ装置の個数や取付順番によらず、各種各様な発光パターン及び発光タイミングでの発光制御を簡単に実現することが可能になる。
【００７４】
例えば標識として矢印板を採用する場合、ガードレールカーブの矢印表示に適用すると、上述の効果がより顕著なものになる。
即ち、従来のガードレールカーブの矢印表示は、工事看板同様に、プリズム反射シート（外光反射型）や、スポットライトタイプの看板が存在する。
プリズム反射シートでは、矢印表示の誘導に従うべき走行車が、アンダーライト（ライトが地面を照らしている状態）の場合、近くならないと光が反射しないため、走行車の乗員が見落としてしまう可能性がある。一方で、走行車の乗員は、アッパーライト（ハイビーム）にすることで遠方からでも当該矢印表示を視認することができるが、対向車線がある場合には、対向車の安全性を考慮して通常アンダーライトで走行することが多い。このように、プリズム反射シートでは、ガードレールカーブの矢印として不適である。
そこで、本発明の標識点灯システムを適用することで、任意の大きさの任意の矢印板を任意の個数だけ配置させることができる。この場合、矢印板が発光するので、走行車の乗員は、矢印の表示を的確に視認することができる。そして、複数の矢印板の発光モード及び発光タイミングは自在に設定することが容易に可能であるため、走行車をより確実かつ適切に誘導することができる。
【００７５】
ここで、このような効果をさらに一段と高めるべく、前記発光部の発光方式は、ＬＥＤ光源と導光板による面発光の発光方式であるようにするとよい。
これにより、標識の全体において均一な面発光が可能になるため、当該標識をみるユーザにとっては、標識の内容を即座にかつ明確に視認することができるようになる。また、従来と比較して消費電力を抑えることができるので、標識の大型化に容易に対応可能になる。
【００７６】
また、複数の前記発光パターン毎に、一意の数値幅が割り当てられており、
所定の発光パターンにおける所定の発光タイミングは、当該所定の発光パターンに割り当てられた数値幅の範囲内で、一意の数値が割り当てられており、
前記所定の発光パターンにおける前記所定の発光タイミングを示す前記制御信号は、当該所定の発光タイミングに割り当てられた前記数値を示す信号である、
ようにすることができる。
【００７７】
このように、簡単な数値を示す制御信号を送信するだけでよいので、各種各様な発光パターン及び発光タイミングでの発光制御をより簡単かつ低コストで実現することが可能になる。
【００７８】
前記マスター装置と前記複数のスレーブ装置の夫々に対して、前記有線で電力を供給する電力供給をさらに備えるようにすることができる。
これにより、制御信号と電源供給を同一ケーブルで送信することが可能になり、より簡素な標識点灯システムを低コストで実現することが可能になる。
【符号の説明】
【００７９】
１、１−１乃至１−Ｎ・・・ＬＥＤ導光式矢印板、２・・・制御ボックス、３・・・ケーブル、４・・・太陽光発電システム、１１・・・筐体、１２・・・看板部、１３・・・ＬＥＤ光源、１４・・・分岐部、１５・・・ＤＣ−ＤＣコンバータ、１６・・・サブコントローラ、１７・・・パワーＭＯＳ−ＦＥＴ、２１・・・コネクタ、２２・・・コネクタ、２３・・・ＤＣ−ＤＣコンバータ、２４・・・メインコントローラ、２５・・・ロータリースイッチ、２６・・・トグルスイッチ、２７・・・トグルスイッチ、２８・・・トグルスイッチ、２９・・・トグルスイッチ、３０・・・メインスイッチ、４１・・・太陽光パネル、４２・・・バッテリ、１００、１０１−１乃至１０１−４・・・スレーブ装置、２００・・マスター装置、３００−１乃至３００−３・・・スレーブ装置、４００・・・コーン、５００・・・スレーブ装置、６００・・・従来の山型矢印板、６０１・・・従来の自発光式矢印板、６０２・・・矢印板、６０３・・・取付部
【図１】
2017025488.tif 000003
【図２】
2017025488.tif 000004
【図３】
2017025488.tif 000005
【図４】
2017025488.tif 000006
【図５】
2017025488.tif 000007
【図６】
2017025488.tif 000008
【図７】
2017025488.tif 000009
【図８】
2017025488.tif 000010
【図９】
2017025488.tif 000011
【図１０】
2017025488.tif 000012
【図１１】
2017025488.tif 000013